(57)【要約】【課題】本発明はネックレスの糸通し設備を開示した。  【解決手段】ボディーを含み、前記ボディーの右側には第一空きチャンバが設置され、前記第一空きチャンバと前記ボディーの外側には第一回転軸が回転できるように設置され、前記ボディーの外側の第一回転軸には第一取手が固定的に設置され、本発明のネックレスの糸通し設備は効率が高く、操作が簡単であり、同時に、本発明の装置は安全で信頼でき、メンテナンスしやすく、実用性が高い。【選択図】図１
2020175152.tif 000002
【特許請求の範囲】
【請求項１】
正面視で、当該ネックレスの糸通し設備はボディーを含み、前記ボディーの右側には第一空きチャンバが設置され、前記第一空きチャンバと前記ボディーの外側には第一回転軸が回転できるように設置され、前記ボディーの外側の第一回転軸には第一取手が固定的に設置され、前記第一空きチャンバの中の前記第一回転軸には円盤が固定的に設置され、前記第一回転軸には前記第一取手と前記円盤との間に位置している第一カムが固定的に設置され、前記第一空きチャンバと前記円盤の頂端との間には孔あけ装置が設置され、前記円盤の底端と前記第一空きチャンバとの間には糸通し装置が設置され、前記第一空きチャンバの左端には第二空きチャンバが連通するように設置され、前記第二空きチャンバの頂端には第三空きチャンバが設置され、前記第三空きチャンバと前記第五スライド溝との間には膠質吐出装置が設置されていることを特徴とするネックレスの糸通し設備。
【請求項２】
前記孔あけ装置を実現できる具体実施方式を詳しく紹介し、前記孔あけ装置は前記円盤を含み、前記孔あけ装置の左側頂端にはスライドロッドが固定的に設置され、前記スライドロッドの外部には第一スライダが設置され、前記第一スライダの中には第一スライド溝が設置され、前記スライドロッドが前記第一スライド溝の中まで伸びており、前記第一スライダの左端には孔あけモーターが固定的に設置され、前記孔あけモーターの左端にはビットが動力が伝達できるように連結され、前記第一スライダの底端には第一固定ブロックが固定的に設置され、前記第一固定ブロックと前記第一空きチャンバの左側端面との間には第一バネが連結され、前記第一空きチャンバの左側には駆動モーターが固定的に設置され、前記駆動モーターの右端には第二回転軸が動力が伝達できるように連結され、前記第二回転軸にはネジロッドが固定的に設置され、前記ネジロッドの外部には第二スライダが設置され、前記第二スライダの中には前記ネジロッドと噛み合っているネジ山が設置され、前記第二スライダが前記第一固定ブロックの右側に位置していることを特徴とする請求項１に記載のネックレスの糸通し設備。
【請求項３】
前記糸通し装置は前記円盤を含み、前記円盤の左側底端には第二固定ブロックが固定的に設置され、前記第二固定ブロックの中には左右に貫通している第二スライド溝が設置され、前記円盤の底端には前記第二スライド溝に連通しているＴ型連通溝が設置され、前記第一空きチャンバの底端には第三スライド溝が連通するように設置され、前記第二スライド溝と、前記Ｔ型連通溝と、前記第三スライド溝の中にはガラス繊維の糸がスライドできるように設置され、前記第二スライド溝の頂端には上方へ開口した糸溝が連通するように設置され、前記糸溝の中には螺旋軸が回転できるように設置され、前記螺旋軸の外表面にはゴムリングが固定的に設置され、前記ゴムリングが前記ガラス繊維の糸とずっと接触しており、前記螺旋軸の右端には第一歯車が固定的に設置され、前記第二回転軸の末端には前記第一歯車と噛み合うことができる第二歯車が固定的に設置されていることを特徴とする請求項１に記載のネックレスの糸通し設備。
【請求項４】
前記膠質吐出装置は前記第二空きチャンバを含み、前記第二空きチャンバの底端には四組の第三スライダがスライドできるように設置され、前記第三スライダの頂端には凹溝が連通するように設置され、前記第三スライダの間に宝石を置くことができ、前記第三スライダの底端には第四スライダがスライドできるように設置され、前記第四スライドと前記第三スライダとの間には第一液圧パイプが伝動できるように設置され、前記第四スライダと前記第一カムとの間には第二液圧パイプが伝動できるように設置され、前記第三空きチャンバと前記ボディーの外側には第三回転軸が回転できるように設置され、前記ボディーの外側の前記第三回転軸には第二取手が固定的に設置され、前記第三空きチャンバの中の前記第三回転軸には第二カムが固定的に設置され、前記第三空きチャンバの中にはスライド板がスライドできるように設置され、前記スライド板と前記第三空きチャンバの頂壁との間には第二バネが固定的に連結され、前記スライド板が前記第二カムとずっと接触しており、前記スライド板の底端には膠質  が設置され、前記膠質の底端には四組のドロッパーが連通するように設置され、前記ドロッパーが前記第三スライダと同じ垂直位置に位置しており、前記スライド板の右端には右方へ開口した第四スライド溝が設置され、前記第三空きチャンバの右端には前記第四スライド溝に連通している第五スライド溝が設置され、前記第五スライド溝の中には第五スライダがスライドできるように設置され、前記第五スライダが前記第四スライド溝の中に伸びており、前記第五スライダと前記第一カムとの間には第三液圧パイプが伝動できるように設置されていることを特徴とする請求項１に記載のネックレスの糸通し設備。
【発明の詳細な説明】
【技術分野】
【０００１】
本発明はアクセサリーの生産分野を取り上げて、具体的にはネックレスの糸通し設備である。
【背景技術】
【０００２】
周知のように、ネックレスに糸を通す時にほとんどは人で糸を通し、この方式は効率が低く、糸通しの質に斑があり、ネックレスの中に様々な宝石が付き、宝石の間には仕切りが必要であり、宝石が互いに摩擦して損害が発生することを避ける。
そこで、ネックレスの糸通し設備を設計して上記の問題を解決する必要があり、孔をあけて糸を通すと同時に、宝石の間には仕切りがあり、設備の実用性が高い。
【先行技術文献】
【特許文献】
【０００３】
【特許文献１】中国特許出願公開第１０７４９２８４１号明細書
【発明の概要】
【発明が解決しようとする課題】
【０００４】
本発明が解決する技術問題はネックレスの糸通し設備を提供し、それは上記の従来技術における問題を解決できる。
【課題を解決するための手段】
【０００５】
本発明は以下の技術プランを通じて実現される：本発明のネックレスの糸通し設備はボディーを含み、前記ボディーの右側には第一空きチャンバが設置され、前記第一空きチャンバと前記ボディーの外側には第一回転軸が回転できるように設置され、前記ボディーの外側の第一回転軸には第一取手が固定的に設置され、前記第一空きチャンバの中の前記第一回転軸には円盤が固定的に設置され、前記第一回転軸には前記第一取手と前記円盤との間に位置している第一カムが固定的に設置され、前記第一空きチャンバと前記円盤の頂端との間には孔あけ装置が設置され、前記円盤の底端と前記第一空きチャンバとの間には糸通し装置が設置され、前記第一空きチャンバの左端には第二空きチャンバが連通するように設置され、前記第二空きチャンバの頂端には第三空きチャンバが設置され、前記第三空きチャンバと前記第五スライド溝との間には膠質吐出装置が設置されている。
【０００６】
好ましくは、前記孔あけ装置は前記円盤を含み、前記孔あけ装置の左側頂端にはスライドロッドが固定的に設置され、前記スライドロッドの外部には第一スライダが設置され、前記第一スライダの中には第一スライド溝が設置され、前記スライドロッドが前記第一スライド溝の中まで伸びており、前記第一スライダの左端には孔あけモーターが固定的に設置され、前記孔あけモーターの左端にはビットが動力が伝達できるように連結され、前記第一スライダの底端には第一固定ブロックが固定的に設置され、前記第一固定ブロックと前記第一空きチャンバの左側端面との間には第一バネが連結され、前記第一空きチャンバの左側には駆動モーターが固定的に設置され、前記駆動モーターの右端には第二回転軸が動力が伝達できるように連結され、前記第二回転軸にはネジロッドが固定的に設置され、前記ネジロッドの外部には第二スライダが設置され、前記第二スライダの中には前記ネジロッドと噛み合っているネジ山が設置され、前記第二スライダが前記第一固定ブロックの右側に位置している。
【０００７】
好ましくは、前記糸通し装置は前記円盤を含み、前記円盤の左側底端には第二固定ブロックが固定的に設置され、前記第二固定ブロックの中には左右に貫通している第二スライド溝が設置され、前記円盤の底端には前記第二スライド溝に連通しているＴ型連通溝が設置され、前記第一空きチャンバの底端には第三スライド溝が連通するように設置され、前記第二スライド溝と、前記Ｔ型連通溝と、前記第三スライド溝の中にはガラス繊維の糸がスライドできるように設置され、前記第二スライド溝の頂端には上方へ開口した糸溝が連通するように設置され、前記糸溝の中には螺旋軸が回転できるように設置され、前記螺旋軸の外表面にはゴムリングが固定的に設置され、前記ゴムリングが前記ガラス繊維の糸とずっと接触しており、前記螺旋軸の右端には第一歯車が固定的に設置され、前記第二回転軸の末端には前記第一歯車と噛み合うことができる第二歯車が固定的に設置されている。
【０００８】
好ましくは、前記膠質吐出装置は前記第二空きチャンバを含み、前記第二空きチャンバの底端には四組の第三スライダがスライドできるように設置され、前記第三スライダの頂端には凹溝が連通するように設置され、前記第三スライダの間に宝石を置くことができ、前記第三スライダの底端には第四スライダがスライドできるように設置され、前記第四スライドと前記第三スライダとの間には第一液圧パイプが伝動できるように設置され、前記第四スライダと前記第一カムとの間には第二液圧パイプが伝動できるように設置され、前記第三空きチャンバと前記ボディーの外側には第三回転軸が回転できるように設置され、前記ボディーの外側の前記第三回転軸には第二取手が固定的に設置され、前記第三空きチャンバの中の前記第三回転軸には第二カムが固定的に設置され、前記第三空きチャンバの中にはスライド板がスライドできるように設置され、前記スライド板と前記第三空きチャンバの頂壁との間には第二バネが固定的に連結され、前記スライド板が前記第二カムとずっと接触しており、前記スライド板の底端には膠質  が設置され、前記膠質の底端には四組のドロッパーが連通するように設置され、前記ドロッパーが前記第三スライダと同じ垂直位置に位置しており、前記スライド板の右端には右方へ開口した第四スライド溝が設置され、前記第三空きチャンバの右端には前記第四スライド溝に連通している第五スライド溝が設置され、前記第五スライド溝の中には第五スライダがスライドできるように設置され、前記第五スライダが前記第四スライド溝の中に伸びており、前記第五スライダと前記第一カムとの間には第三液圧パイプが伝動できるように設置されている。
【発明の効果】
【０００９】
以上のように、本発明のネックレスの糸通し設備は効率が高く、操作が簡単であり、同時に、本発明の装置は安全で信頼でき、メンテナンスしやすく、実用性が高い。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
説明の便宜上、本発明は以下の具体的な実施例と付図を交えて詳しく説明する。
【００１２】
【図１】図１は本発明のネックレスの糸通し設備の全体構成模式図
【図２】図２は図１のＡ−Ａの拡大構成模式図
【図３】図３は図１のＢの拡大構成模式図
【図４】図４は図１のＣの拡大構成模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜４を参照し、本発明のネックレスの糸通し設備は、ボディー６０を含み、前記ボディー６０の右側には第一空きチャンバ２０が設置され、前記第一空きチャンバ２０と前記ボディー６０の外側には第一回転軸２４が回転できるように設置され、前記ボディー６０の外側の第一回転軸２４には第一取手２３が固定的に設置され、前記第一空きチャンバ２０の中の前記第一回転軸２４には円盤２６が固定的に設置され、前記第一回転軸２４には前記第一取手２３と前記円盤２６との間に位置している第一カム２５が固定的に設置され、前記第一空きチャンバ２０と前記円盤２６の頂端との間には孔あけ装置９２が設置され、前記円盤２６の底端と前記第一空きチャンバ２０との間には糸通し装置９３が設置され、前記第一空きチャンバ２０の左端には第二空きチャンバ５４が連通するように設置され、前記第二空きチャンバ５４の頂端には第三空きチャンバ３６が設置され、前記第三空きチャンバ３６と前記第五スライド溝３４との間には膠質吐出装置９１が設置されている。
【００１５】
以下、前記孔あけ装置９２を実現できる具体実施方式を詳しく紹介し、前記孔あけ装置９２は前記円盤２６を含み、前記孔あけ装置９２の左側頂端にはスライドロッド２８が固定的に設置され、前記スライドロッド２８の外部には第一スライダ２９が設置され、前記第一スライダ２９の中には第一スライド溝３０が設置され、前記スライドロッド２８が前記第一スライド溝３０の中まで伸びており、前記第一スライダ２９の左端には孔あけモーター３１が固定的に設置され、前記孔あけモーター３１の左端にはビット３２が動力が伝達できるように連結され、前記第一スライダ２９の底端には第一固定ブロック１７が固定的に設置され、前記第一固定ブロック１７と前記第一空きチャンバ２０の左側端面との間には第一バネ１６が連結され、前記第一空きチャンバ２０の左側には駆動モーター１３が固定的に設置され、前記駆動モーター１３の右端には第二回転軸１４が動力が伝達できるように連結され、前記第二回転軸１４にはネジロッド１５が固定的に設置され、前記ネジロッド１５の外部には第二スライダ１８が設置され、前記第二スライダ１８の中には前記ネジロッド１５と噛み合っているネジ山１９が設置され、前記第二スライダ１８が前記第一固定ブロック１７の右側に位置している。
【００１６】
次に、図１〜３を参照して本出願の前記糸通し装置９３を詳しく紹介し、前記糸通し装置９３は前記円盤２６を含み、前記円盤２６の左側底端には第二固定ブロック４７が固定的に設置され、前記第二固定ブロック４７の中には左右に貫通している第二スライド溝４５が設置され、前記円盤２６の底端には前記第二スライド溝４５に連通しているＴ型連通溝４８が設置され、前記第一空きチャンバ２０の底端には第三スライド溝２１が連通するように設置され、前記第二スライド溝４５と、前記Ｔ型連通溝４８と、前記第三スライド溝２１の中にはガラス繊維の糸４６がスライドできるように設置され、前記第二スライド溝４５の頂端には上方へ開口した糸溝４１が連通するように設置され、前記糸溝４１の中には螺旋軸４３が回転できるように設置され、前記螺旋軸４３の外表面にはゴムリング４４が固定的に設置され、前記ゴムリング４４が前記ガラス繊維の糸４６とずっと接触しており、前記螺旋軸４３の右端には第一歯車４２が固定的に設置され、前記第二回転軸１４の末端には前記第一歯車４２と噛み合うことができる第二歯車２２が固定的に設置されている。
【００１７】
有益的には、図１と、図２と、図４とが示すように、前記膠質吐出装置９１は前記第二空きチャンバ５４を含み、前記第二空きチャンバ５４の底端には四組の第三スライダ５６がスライドできるように設置され、前記第三スライダ５６の頂端には凹溝５５が連通するように設置され、前記第三スライダ５６の間に宝石５３を置くことができ、前記第三スライダ５６の底端には第四スライダ１１がスライドできるように設置され、前記第四スライド１１と前記第三スライダ５６との間には第一液圧パイプ１０が伝動できるように設置され、前記第四スライダ１１と前記第一カム２５との間には第二液圧パイプ１２が伝動できるように設置され、前記第三空きチャンバ３６と前記ボディー６０の外側には第三回転軸３８が回転できるように設置され、前記ボディー６０の外側の前記第三回転軸３８には第二取手３９が固定的に設置され、前記第三空きチャンバ３６の中の前記第三回転軸３８には第二カム３７が固定的に設置され、前記第三空きチャンバ３６の中にはスライド板５０がスライドできるように設置され、前記スライド板５０と前記第三空きチャンバ３６の頂壁との間には第二バネ３５が固定的に連結され、前記スライド板５０が前記第二カム３７とずっと接触しており、前記スライド板５０の底端には膠質  ５１が設置され、前記膠質５１の底端には四組のドロッパー５２が連通するように設置され、前記ドロッパー５２が前記第三スライダ５６と同じ垂直位置に位置しており、前記スライド板５０の右端には右方へ開口した第四スライド溝４９が設置され、前記第三空きチャンバ３６の右端には前記第四スライド溝４９に連通している第五スライド溝３４が設置され、前記第五スライド溝３４の中には第五スライダ３３がスライドできるように設置され、前記第五スライダ３３が前記第四スライド溝４９の中に伸びており、前記第五スライダ３３と前記第一カム２５との間には第三液圧パイプ２７が伝動できるように設置されている。
【００１８】
以下、出願人は付図１〜４及び上記の本出願のネックレスの糸通し設備の具体的な構成を参照して本出願のネックレスの糸通し設備の使用方法を詳しく紹介する。
【００１９】
まず、初期状態において、前記第三スライダ５６が前記第二空きチャンバ５４の中に伸びており、前記第三スライダ５６が前記宝石５３の中心の位置に達していない。
【００２０】
宝石に糸を通してネックレスを成す場合は：前記宝石５３を前記第三スライダ５６の間に置き、前記孔あけモーター３１と前記駆動モーター１３とを始動した後、前記孔あけモーター３１が前記ビット３２を連動させて回転させ、前記駆動モーター１３が前記ネジロッド１５を連動させて回転させ、前記ネジロッド１５が前記ネジ山１９により前記第二スライダ１８を連動させて左方へ移動させ、前記第二スライダ１８が前記第一固定ブロック１７を押し、これにより前記第一スライダ２９を連動させて左方へスライドさせ、前記第一スライダ２９が前記ビット３２を連動させて左方へスライドさせ、前記ビット３２が前記宝石５３の中心のところに孔をあける。
【００２１】
孔をあけ終わった後、前記駆動モーター１３を始動して逆方向へ作動させ、前記ビット３２が初期位置に戻され、そして前記第一取手２３を回転させ、前記第一取手２３が前記第一カム２５と前記円盤２６とを連動させて回転させ、前記円盤２６が回転して前記第二固定ブロック４７と前記第二空きチャンバ５４とを同じな水平線に位置させ、前記第一歯車４２と前記第二歯車２２とが噛み合い、前記第一カム２５が回転して前記第二液圧パイプ１２により前記第五スライダ３３を左方へスライドさせて前記第五スライド溝３４の中に入らせ、前記スライド板５０が上下にスライドでき、前記第四スライダ１１が上方へスライドし、前記第四スライダ１１が前記第一液圧パイプ１０により前記第三スライダ５６を連動させて上方へスライドさせ、前記第三スライダ５６が前記宝石５３の中心のところまでスライドする。    
【００２２】
前記駆動モーター１３を始動し、前記駆動モーター１３が前記第二歯車２２を連動させて回転させ、前記第二歯車２２が前記第一歯車４２を連動させて回転させ、前記第一歯車４２が前記螺旋軸４３を連動させて回転させ、前記螺旋軸４３が前記ガラス繊維の糸４６を連動させて左方へスライドさせ、前記ガラス繊維の糸４６が前記宝石５３の孔の中に入る。
【００２３】
糸を通すことが終わったと観察した時、前記第二取手３９を回転させ、前記第二取手３９が前記第二カム３７を連動させて前記スライド板５０を押させ、前記スライダ板５０が前記膠質５１を押し、前記ドロッパー５２が前記凹溝５５の中までコロイドを滴らし、前記凹溝５５と前記ガラス繊維の糸４６とが固まった後、前記ガラス繊維の糸４６を切り、糸を通す過程を完成する。
【００２４】
以上のように、本発明のネックレスの糸通し設備は効率が高く、操作が簡単であり、同時に、本発明の装置は安全で信頼でき、メンテナンスしやすく、実用性が高い。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。    
【図１】
2020175152.tif 000003
【図２】
2020175152.tif 000004
【図３】
2020175152.tif 000005
【図４】
2020175152.tif 000006
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
正面視で、当該ネックレスの糸通し設備はボディーを含み、前記ボディーの右側には第一空きチャンバが設置され、前記第一空きチャンバと前記ボディーの外側には第一回転軸が回転できるように設置され、前記ボディーの外側の第一回転軸には第一取手が固定的に設置され、前記第一空きチャンバの中の前記第一回転軸には円盤が固定的に設置され、前記第一回転軸には前記第一取手と前記円盤との間に位置している第一カムが固定的に設置され、前記第一空きチャンバと前記円盤の頂端との間には孔あけ装置が設置され、前記円盤の底端と前記第一空きチャンバとの間には糸通し装置が設置され、前記第一空きチャンバの左端には第二空きチャンバが連通するように設置され、前記第二空きチャンバの頂端には第三空きチャンバが設置され、前記第三空きチャンバと前記第五スライド溝との間には膠質吐出装置が設置されており、
前記孔あけ装置を実現できる具体実施方式を詳しく紹介し、前記孔あけ装置は前記円盤を含み、前記孔あけ装置の左側頂端にはスライドロッドが固定的に設置され、前記スライドロッドの外部には第一スライダが設置され、前記第一スライダの中には第一スライド溝が設置され、前記スライドロッドが前記第一スライド溝の中まで伸びており、前記第一スライダの左端には孔あけモーターが固定的に設置され、前記孔あけモーターの左端にはビットが動力が伝達できるように連結され、前記第一スライダの底端には第一固定ブロックが固定的に設置され、前記第一固定ブロックと前記第一空きチャンバの左側端面との間には第一バネが連結され、前記第一空きチャンバの左側には駆動モーターが固定的に設置され、前記駆動モーターの右端には第二回転軸が動力が伝達できるように連結され、前記第二回転軸にはネジロッドが固定的に設置され、前記ネジロッドの外部には第二スライダが設置され、前記第二スライダの中には前記ネジロッドと噛み合っているネジ山が設置され、前記第二スライダが前記第一固定ブロックの右側に位置しており、
前記糸通し装置は前記円盤を含み、前記円盤の左側底端には第二固定ブロックが固定的に設置され、前記第二固定ブロックの中には左右に貫通している第二スライド溝が設置され、前記円盤の底端には前記第二スライド溝に連通しているＴ型連通溝が設置され、前記第一空きチャンバの底端には第三スライド溝が連通するように設置され、前記第二スライド溝と、前記Ｔ型連通溝と、前記第三スライド溝の中にはガラス繊維の糸がスライドできるように設置され、前記第二スライド溝の頂端には上方へ開口した糸溝が連通するように設置され、前記糸溝の中には螺旋軸が回転できるように設置され、前記螺旋軸の外表面にはゴムリングが固定的に設置され、前記ゴムリングが前記ガラス繊維の糸とずっと接触しており、前記螺旋軸の右端には第一歯車が固定的に設置され、前記第二回転軸の末端には前記第一歯車と噛み合うことができる第二歯車が固定的に設置されており、
前記膠質吐出装置は前記第二空きチャンバを含み、前記第二空きチャンバの底端には四組の第三スライダがスライドできるように設置され、前記第三スライダの頂端には凹溝が連通するように設置され、前記第三スライダの間に宝石を置くことができ、前記第三スライダの底端には第四スライダがスライドできるように設置され、前記第四スライドと前記第三スライダとの間には第一液圧パイプが伝動できるように設置され、前記第四スライダと前記第一カムとの間には第二液圧パイプが伝動できるように設置され、前記第三空きチャンバと前記ボディーの外側には第三回転軸が回転できるように設置され、前記ボディーの外側の前記第三回転軸には第二取手が固定的に設置され、前記第三空きチャンバの中の前記第三回転軸には第二カムが固定的に設置され、前記第三空きチャンバの中にはスライド板がスライドできるように設置され、前記スライド板と前記第三空きチャンバの頂壁との間には第二バネが固定的に連結され、前記スライド板が前記第二カムとずっと接触しており、前記スライド板の底端には膠質  が設置され、前記膠質の底端には四組のドロッパーが連通するように設置され、前記ドロッパーが前記第三スライダと同じ垂直位置に位置しており、前記スライド板の右端には右方へ開口した第四スライド溝が設置され、前記第三空きチャンバの右端には前記第四スライド溝に連通している第五スライド溝が設置され、前記第五スライド溝の中には第五スライダがスライドできるように設置され、前記第五スライダが前記第四スライド溝の中に伸びており、前記第五スライダと前記第一カムとの間には第三液圧パイプが伝動できるように設置されていることを特徴とするネックレスの糸通し設備。